(57)【要約】【課題】  マイラケットを使用することもでき、プレイヤーのスイングスピードを簡易な手段で計測し、その場でスピード表示し、そのスイングスピードに適した数種類のラケットのグループを選択することができるようにする。【解決手段】  プレイヤーに適した球技スポーツ用ラケットを適切に選択するラケット選択方法において、フレーム先端側にマグネット５が装着されたラケット４をスイングしてそのマグネット５を所定間隔をおいて設けられた２つのセンサー２Ａ，２Ｂ間を通過させることによりスイングスピードを測定し、測定されたスイングスピードをその場で表示するとともに、スイングスピードに応じた数種類のラケットのグループを表示した表示板３もその場に掲示し、表示板３から選択されたラケット４のグループを試打してラケット４を選ぶようにした。【選択図】  図１
2006263340.tif 000002
【特許請求の範囲】
【請求項１】
プレイヤーに適した球技スポーツ用ラケットを適切に選択するラケット選択方法において、
フレーム先端側にマグネットが装着されたラケットをスイングしてそのマグネットを所定間隔をおいて設けられた２つのセンサー間を通過させることによりスイングスピードを測定し、
測定されたスイングスピードをその場で表示するとともに、スイングスピードに応じた数種類のラケットのグループを表示した表示板もその場に掲示し、
表示板から選択されたラケットのグループを試打してラケットを選ぶようにしたことを特徴とするラケット選択方法。
【請求項２】
プレイヤーに適した球技スポーツ用ラケットを適切に選択するラケット選択装置において、
プレイヤーが日常使用するラケットあるいは適宜選択したラケットのフレーム先端側にマグネットを装着し、
スタンドに高さ調節可能にスイングスピード測定器を取付け、
このスイングスピード測定器にラケットのマグネットの通過を検知する２つのセンサーを所定間隔をおいて設け、
プレイヤーがラケットをスイングして２つのセンサー間にマグネットを通過させてスイングスピードを測定した値を前記測定器の表示部で表示し、
前記スタンドにスイングスピードに応じた数種類のラケットのグループを表示した表示板を取付けたことを特徴とするラケット選択装置。
【発明の詳細な説明】
【技術分野】
【０００１】
本発明は、テニス、スカッシュ、バドミントンなどの球技スポーツ用ラケットをプレイヤーの技術レベルや好みなどに応じて適切に選択できる方法とその装置を提供することを目的とする。
【背景技術】
【０００２】
テニスラケットなどの購入に際して、ゴルフクラブのように、スイングスピード、男女間の力の差、スイングの特徴などに応じてヘッドのロフト角、体積、形状等を選択する判断基準、シャフトの硬さや長さを選択する判断基準が確立されていない現状である。また、販売店でテニスラケットの試打を出来ることはほとんどなく、ラケット購入者は、口コミや店員の勧め、イメージや感覚、知名度といった判断基準で購入しているのが実状である。
【０００３】
球技スポーツ用ラケットにおいてもラケットのヘッドスピードを手がかりに、ラケットの重さ、大きさ、フレームの厚さや材質、グリップの形状などの種々の組合せの中でそのプレイヤーに適したラケットを選択するということが、求められるに至った。仮に、テニスコート場で試打会を開催した場合、多数の商品の中から自分に合ったラケットを探し出すには、全部のラケットを試打してみないと最適な選択はできない。しかも、試打しながら、専門の指導員のアドバイスも加味していかなければ、自分に最も適したラケットの選択は不可能であった。
【０００４】
ラケットのスイングスピードを測定する従来例としては、グリッブ部と本体部とから成る器具本体を打球具よりも長さを３分の２以下に形成し、この器具本体の重量を打球具よりも１０％以上重く形成した特殊な用具がある。そして、器具本体の本体部の先端側にスイングスピード測定用のセンサー装置を取付け、このセンサー装置により検出したスイングスピードを表示する手段を器具本体に設けたものが知られている（特許文献１参照）。
【０００５】
また、ラケットに着脱自在に取付けられる本体と、この本体に対して移動自在に設けられた移動体と、本体に設けられていて、移動体を上記本体に対して移動自在に支持する移動体案内部材と、本体と移動体との間に掛け渡されていて、ラケットが円弧（円）運動させられたとき生じる遠心力と逆の向きの移動習性を移動体に与えるばね要素と、本体に設けられた細長い表示窓と、この表示窓の内側にこれの長手方向に移動自在に設けられていて、移動体がばね要素に抗して遠心力により移動するとき、この移動体に連動して移動し、その表示部を上記表示窓から退避させるか又は表示窓から露呈させることによって、表示窓に占める表示部の長さにより移動体の移動量を表示する表示体とからなるスイングスピード測定器も知られている（特許文献２参照）。
【０００６】
さらに、もっと複雑な装置としては、挙動測定用の２台の高速カメラで得たインパクト前後のテニスラケットおよびボールの画像に基づく３次元座標系の演算処理をコンピュータで実行することによりテニスラケット及びボールの挙動にかかる各種数値を算出し、また、上記測定演算と同時に、スピン量測定用の高速カメラにより得たボールの回転している状態の画像に基づきコンピュータで演算処理を実行することによりボールのスピン量を算出するというものも知られている（特許文献３参照）。
【特許文献１】特開平６−２８５２０６号公報（第２頁、図１）
【特許文献２】実開昭６１−６１４７１号公報（第１頁、図１）
【特許文献３】特開２００２−１２６１４７号公報（第５頁、図１）
【発明の開示】
【発明が解決しようとする課題】
【０００７】
特許文献３に開示されたような装置は、大型化し、高価であり、どこのラケット販売店でも設置できるというものではなく、かつプレイヤーの技術レベルや好みなどに応じた最適なラケットを選択するための簡便な手段とはなっていなかった。
【０００８】
特許文献２に開示されたものは、ラケットに比較的大型で重量のある測定器を取付けなければならず、この測定器の重さで、プレイヤー本来のスイングスピードが出にくくなり、しかも正確な測定はその構造上難しかった。さらに、スイングスピード測定後、測定されたスイングスピードに合うラケットはどのようなものであるかの選択手段を有していない。
【０００９】
特許文献１に開示されたものも、スイングスピードに見合ったラケットの選択手段がなく、しかもプレイヤーが日常使用している所謂マイラケットでの計測はできないものであった。
【００１０】
そこで、本発明は、マイラケットを使用することもでき、プレイヤーのスイングスピードを簡易な手段で計測し、その場でスピード表示し、そのスイングスピードに適した数種類のラケットのグループを選択することができるようにすることを目的とするものである。
【課題を解決するための手段】
【００１１】
上述の目的を達成するため、本発明は、プレイヤーに適した球技スポーツ用ラケットを適切に選択するラケット選択方法において、フレーム先端側にマグネットが装着されたラケットをスイングしてそのマグネットを所定間隔をおいて設けられた２つのセンサー間を通過させることによりスイングスピードを測定し、測定されたスイングスピードをその場で表示するとともに、スイングスピードに応じた数種類のラケットのグループを表示した表示板もその場に掲示し、表示板から選択されたラケットのグループを試打してラケットを選ぶようにしたものである。また、プレイヤーに適した球技スポーツ用ラケットを適切に選択するラケット選択装置において、プレイヤーが日常使用するラケットあるいは適宜選択したラケットのフレーム先端側にマグネットを装着し、スタンドに高さ調節可能にスイングスピード測定器を取付け、このスイングスピード測定器にラケットのマグネットの通過を検知する２つのセンサーを所定間隔をおいて設け、プレイヤーがラケットをスイングして２つのセンサー間にマグネットを通過させてスイングスピードを測定した値を前記測定器の表示部で表示し、前記スタンドにスイングスピードに応じた数種類のラケットのグループを表示した表示板を取付けたものである。
【発明の効果】
【００１２】
本発明によれば、プレイヤーに適した球技スポーツ用ラケットを適切に選択するラケット選択方法において、フレーム先端側にマグネットが装着されたラケットをスイングしてそのマグネットを所定間隔をおいて設けられた２つのセンサー間を通過させることによりスイングスピードを測定し、測定されたスイングスピードをその場で表示するとともに、スイングスピードに応じた数種類のラケットのグループを表示した表示板もその場に掲示し、表示板から選択されたラケットのグループを試打してラケットを選ぶようにしたので、多数のラケットの中から、自分のスイングスピードに合う複数のラケットを選択することが容易にでき、その後試打するラケット数も絞り込むことができ、最適の１本を選ぶことも可能となる。ラケット購入希望者は、スイングスピード毎にグループ分けされた複数のラケットの中から、試打し、あるいは自分の好み、指導員のアドバイスなどを加味して購入することができ、販売店にとってもラケットの販売促進につながる。
【００１３】
また、プレイヤーに適した球技スポーツ用ラケットを適切に選択するラケット選択装置において、プレイヤーが日常使用するラケットあるいは適宜選択したラケットのフレーム先端側にマグネットを装着し、スタンドに高さ調節可能にスイングスピード測定器を取付け、このスイングスピード測定器にラケットのマグネットの通過を検知する２つのセンサーを所定間隔をおいて設け、プレイヤーがラケットをスイングして２つのセンサー間にマグネットを通過させてスイングスピードを測定した値を前記測定器の表示部で表示し、前記スタンドにスイングスピードに応じた数種類のラケットのグループを表示した表示板を取付けたので、全体が簡単な構造であり、コンパクトなものとなり、狭いスペースでも設置することができる。また、ラケットを持参して測定することもでき、しかもその場で自分に適したラケットのグループを目視できる。
【発明を実施するための最良の形態】
【００１４】
以下にこの発明の実施形態について、図面を参照にして説明する。
【００１５】
図１は、本発明で用いられる装置を示し、スタンド１にスイングスピード測定器２を高さ調節可能に取付け、スタンド１の上部には表示板３を取付けてある。ラケット４のフレーム先端側にはマグネット５を取付けてある。プレイヤーは、ラケット４をガット面が垂直になるように水平にスイングし、マグネット５を測定器２の正面を通過させる。前記測定器２の正面（スイングするプレイヤーを向いた面）に、所定間隔をおいて２つのセンサー（磁気センサー）２Ａ，２Ｂを設け、前記マグネット５がこれら２つのセンサー２Ａ，２Ｂ間を通過する時間を測定する。センサー２Ａ，２Ｂからの信号は増幅器（図示せず）で増幅され、増幅された信号を検知部で検知し、内蔵されたＣＰＵで演算してスイングスピードを表示部２Ｃに表示する。
【００１６】
図３は、測定器２のスタンド１への取付方法を示し、スタンド１のポール１Ａに取付リング６をスライド及び固定可能に取付け、この取付リング６にアーム７の基端を固着し、この水平に延びたアーム７の先端に取付板８を固着し、この取付板８にファスナー９により測定器２を取付けてある。プレイヤーの身長に応じて取付リング６のポール１Ａへの取付位置を調節することで、測定器２の高さを調節する。
【００１７】
上述したような装置を、例えばテニスコートのある場所に持ち込み、プレイヤーは日常使用しているマイラケットのフレーム先端側にマグネット５を装着し、このマグネット５が測定器２のセンサー２Ａ，２Ｂ間を通過するようにほぼ水平方向にスイングし、測定器２の表示部２Ｃで自分のスイングスピードを確認し、表示板３でグループ分けされたラケット群からスイングスピードに合ったラケットを確認する。この自分のスイングスピードに合うとされるラケットが、例えば図４に示す表示板３のＲ９，Ｒ１１，Ｒ１２の３本のラケットとすると、このラケットＲ９，Ｒ１１，Ｒ１２をテニスコートで試打し、自分のフィーリングに合ったもの、あるいは指導員に相談して選んだものを購入することができる。
【００１８】
図４に示す表示板３の表示内容については、多数のスイングスピードの異なるプレイヤーによる試打を繰り返した結果、１５種類のテニスラケットＲ１〜Ｒ１５がどのスピード領域のプレイヤーに適するかの判断基準を得ることができた。スイングスピードが遅いプレイヤーは一般に非力なため、軽量で反発性の高いラケットが適しているのに対し、スイングスピードの速いプレイヤーはパワーがあるため、重量のある、反発性が抑えられているラケットが適している。これをスイングスピード別に表したものを以下に示す。
【００１９】
【表１】
2006263340.tif 000003
【００２０】
表にあるように、スイングスピードが１５ｍ／ｓ以下のプレイヤーには重量が２５０ｇ以下、フェース面積が１１５〜１２０ｃｍ２、フレーム最大厚さが２８〜３０ｍｍの軽量高反発ラケットが推奨されている。スイングスピードが上がるにつれて推奨されるラケットの重量が増加し、フェース面積やフレーム最大厚さは減少する傾向にある。そしてスイングスピードが３６ｍ／ｓ以上のプレイヤーには重量３１０〜３２５ｇ、フェース面積９５〜１０５ｃｍ２、フレーム最大厚さが２０〜２３ｍｍの重量のある、反発性が抑えられたラケットが推奨となっている。すなわちプレイヤーのスイングスピードを測定することによりそのプレイヤーに適したラケットを推奨することが出来る。
【図面の簡単な説明】
【００２１】
【図１】本発明装置の全体図。
【図２】測定器の斜視図。
【図３】測定器とスタンドの詳細図。
【図４】表示板の表示内容を示す正面図。
【符号の説明】
【００２２】
１    スタンド
２    測定器
２Ａ，２Ｂ  センサー
２Ｃ  表示部
３    表示板
４    ラケット
５    マグネット
【図１】
2006263340.tif 000004
【図２】
2006263340.tif 000005
【図３】
2006263340.tif 000006
【図４】
2006263340.tif 000007